(57)【要約】【課題】お風呂におけるヒートショックなどによる死亡防止に有効な見守りを可能とする設置の簡単なお風呂見守り簡易システムを得る。【解決手段】浴室１内に敷設されて荷重を検出する荷重検出手段２と、経過時間を計測し設定された特定経過時間間隔で信号を発信する経過時間計測手段３と、特定経過時間間隔の間の荷重検出手段２による検出荷重の変化経過を記録する記憶手段２３と、記憶手段２３内の検出荷重の変化経過の記録に基づき異常正常を判断する判定手段２４と、判定手段２４による判定情報を指定された連絡先に送る送信手段２５と、を備える。【選択図】図１
2008003966.tif 000002
【特許請求の範囲】
【請求項１】
浴室内に敷設されて荷重を検出する荷重検出手段と、経過時間を計測し設定された特定経過時間間隔で信号を発信する経過時間計測手段と、前記特定経過時間間隔の間の前記荷重検出手段による検出荷重の変化経過を記録する記憶手段と、前記記憶手段内の前記検出荷重の変化経過の記録に基づき異常正常を判断する判定手段と、該判定手段による判定情報を指定された連絡先に送る送信手段と、を備えることを特徴とするお風呂見守り簡易システム。
【請求項２】
前記荷重検出手段を浴室内に、前記経過時間計測手段を浴室内叉はその周縁にお風呂見守り装置として配置し、前記記憶手段と前記判定手段と前記判定手段による判定情報を指定された連絡先に送る送信手段とを管理サーバ内に配置し、前記配置された両者を電子通信手段で接続することを特徴とする請求項１に記載のお風呂見守り簡易システム。
【請求項３】
前記判定手段が、前記経過時間計測手段からの前記特定経過時間経過後の信号に基づき、前記特定経過時間の間の前記検出荷重の変化経過の記録が、基準荷重以下叉は以上の状態が長く継続したときに異常と判定するお風呂見守り簡易システム。
【請求項４】
浴室に設置された動体の動きに反応する人感センサにより、少なくとも前記経過時間計測手段の電源が入れられることを特徴とする請求項１乃至３のいずれか１項に記載のお風呂見守り簡易システム。
【発明の詳細な説明】
【技術分野】
【０００１】
この発明は、お風呂見守り簡易システムに関する。特に、設置の簡単なお風呂見守り簡易システム関する。
【背景技術】
【０００２】
従来から、高齢者の見守りシステムは、数々提案されてきている。監視カメラを用いたシステムも可能であるが、監視されているというイメージが強く、設置に賛同しない高齢者が多い。
【０００３】
一方で、杖、給湯ポットなど日常使用する電気製品にセンサとその検出送信装置を備えたものが提案されている（例えば、特許文献１、特許文献２参照）。
【０００４】
また、高齢者宅の各所に赤外線センサからなる人感センサを設けるとともに、居間のベッドにはベッドセンサ（寝床センサ）を設け、これらの感応信号に基づいて人体の存在場所すなわち高齢者の居場所を判定する生活見守りシステムが提案されている（例えば、特許文献３参照）。
【０００５】
さらに、入浴者が安全に入浴できるように支援するお風呂用の見守り装置として、浴室リモコンに揺動検知装置を一体的に設け、入浴者の体動による浴槽湯面の水位変動を検知するのみならず、湯面の変動の小さい水中動作による湯の変動をも検知するようにして、入浴者の体動を見守るものが提案されている（例えば、特許文献４参照）。
【特許文献１】特開２００６−０８５６０９号公報（要約書、図１）
【特許文献２】特開２００５−１９６８１２号公報（要約書、図１）
【特許文献３】特開２００３−３１７１６５号公報（要約書、図１）
【特許文献４】特開２００３−２２７６５２号公報（要約書、図１）
【発明の開示】
【発明が解決しようとする課題】
【０００６】
しかしながら、住宅の死因の大部分を占めるお風呂におけるヒートショックによる高齢者の死亡防止には、特許文献１乃至３のようなこれまでの提案だけでは十分で無い。また、高齢者が単独で暮らしている場合などにおいては、特許文献４の提案でも十分とはいえない。そこで、本発明の解決しようとする課題は、お風呂におけるヒートショックなどによる死亡防止に有効な見守りを可能とする設置の簡単なお風呂見守り簡易システムを提供することにある。
【課題を解決するための手段】
【０００７】
上記課題を解決するため、本発明は、浴室内に敷設されて荷重を検出する荷重検出手段と、経過時間を計測し設定された特定経過時間間隔で信号を発信する経過時間計測手段と、前記特定経過時間間隔の間の前記荷重検出手段による検出荷重の変化経過を記録する記憶手段と、前記記憶手段内の前記検出荷重の変化経過の記録に基づき異常正常を判断する判定手段と、該判定手段による判定情報を指定された連絡先に送る送信手段と、を備えるお風呂見守り簡易システムとする。これによって、お風呂における高齢者等の死亡防止に有効な見守りシステムの浴室内への設置はバスマット、すのこ、バブル発生マット等の荷重検出手段を敷設するだけの簡易なもので済ますことが出き、遠隔地からの見守りを可能とできる。一方でリフォームなどの必要は無い。さらには、浴室内に敷設された、目立たない、簡易なものであるため、見守られる人が監視されているという感覚を持たせず、見守ることが可能となる。
【０００８】
また、前記荷重検出手段を浴室内に、前記経過時間計測手段を浴室内叉はその周縁にお風呂見守り装置として配置し、前記記憶手段と前記判定手段と前記判定手段による判定情報を指定された連絡先に送る送信手段とを管理サーバ内に配置し、前記配置された両者を電子通信手段で接続するお風呂見守り簡易システムとすれば、管理サーバによるサービスを拡大し、また種々の変更対応も容易となる。
【０００９】
また、前記判定手段が、前記経過時間計測手段からの前記特定経過時間経過後の信号に基づき、前記特定経過時間の間の前記検出荷重の変化経過の記録が、基準荷重以下叉は以上の状態が長く継続したときに異常と判定するお風呂見守り簡易システムとすれば、正常異常の判定を確実にできる。
【００１０】
また、浴室に設置された動体の動きに反応する人感センサにより、少なくとも前記経過時間計測手段の電源が入れられるお風呂見守り簡易システムとすれば、節電を可能と出きる。
【発明の効果】
【００１１】
本発明によれば、お風呂見守り簡易システムの浴室内への設置はバスマット、すのこ、バブル発生マット等の荷重検出手段を敷設するだけの簡易なもので済ますことが出き、送信手段により遠隔地からの見守りも可能とできる。その上、リフォームなどの必要も無い。さらには、浴室内に敷設された、目立たない、簡易なものであるため、見守られる人が監視されているという感覚を持たせず、見守ることが可能となる。
【発明を実施するための最良の形態】
【００１２】
以下本発明の実施の形態を図を参照しつつ説明する。
【００１３】
図１は、本発明による一実施の形態としてのお風呂見守り簡易システムの構成を示すブロック図である。ここでのお風呂見守り簡易システム１００は、お風呂見守り装置１０とこれとインターネットなどの通信手段を介して接続される管理サーバ２０とから成っている。
【００１４】
お風呂見守り装置１０は、浴室１内に敷設されて荷重を検出する荷重検出手段２、この例では、すのこ、マットなどの敷物の下に荷重検出センサを貼着したもの、と、経過時間を計測し設定された特定経過時間間隔で信号を発信する経過時間計測手段３と、送信手段５と、電源４からの電力を供給するスイッチ４ａとを有する。この例では、経過時間計測手段３と送信手段５とは、制御手段６に収納されている。
【００１５】
管理サーバ２０は、送信手段５からの信号を受ける受信手段２１と、特定経過時間間隔の間の荷重検出手段２による検出荷重の変化経過を記録する記憶手段２３と、記憶手段内の検出荷重の変化経過の記録に基づき異常正常を判断する判定手段２４と、該判定手段２４による判定情報を指定された連絡先に送る送信手段２５と、ここでは、さらに利用者情報テーブル２２ａ、履歴情報テーブル２２ｂを有するデータベース２２と、を備える。経過時間計測手段３を人感センサからの信号を受けて点灯する浴室１内の照明と連動して、計測を開始させることも可能であるが、この例では、経過時間計測手段３は電源を入れると単に、自動的に繰返し動作する。経過時間計測手段３は、ここでは、特定経過時間ごと、例えば１０乃至３０分ごと、に信号を発するタイマー手段である。経過時間計測手段３の特定経過時間は、図示していないが、利用者による長さ設定が可能であり、入浴者個人の入浴状況の特性に応じて長さが設定される。
【００１６】
次にこの実施の形態における動作を説明すると、電源４のスイッチ４ａを入れると、荷重検出手段２は、荷重検出を開始し、送信手段５に向かって信号を送り始める。この送信手段５への信号は、例えば、連続的なものであっても、送信手段のタイミングに合わせた１０秒乃至１分ごとの間欠的なものであってもよい。経過時間計測手段３も計測動作を開始し同時に開始信号ＳＧ１を発信し、荷重検出手段２からの信号を送信する指令を送信手段５に発信する。送信手段５からは、開始信号ＳＧ１と荷重検出情報（検出信号）がインターネットなどの通信手段３０に向けて送信される。こうして荷重検出手段２の検出信号は次々に管理サーバ２０に送られることになる。
【００１７】
経過時間計測手段２は特定経過時間を計測すると終了信号ＳＧ３を送信手段５に送り、この終了信号ＳＧ３は、送信手段５からインターネットなどの通信手段３０を介して管理サーバ２０に送られる。この終了信号ＳＧ３は、管理サーバ２０の記憶手段２３への開始信号ＳＧ１から終了信号ＳＧ３間、すなわち、特定経過時間の間、の荷重検出情報の集計指令である。
【００１８】
送信手段５からの特定経過時間に亘る荷重検出手段２の検出信号は、受信手段２１で受信され記憶手段２３に記憶される。また、送信手段５からの信号には、どこのお風呂見守り装置１０からの信号なのかを特定するＩＤ信号が含まれている。このＩＤ信号はデータベース２２内の情報と照合され、判定に役立つ情報、指定されている送信先情報などの必要な情報が記憶手段２３に持ち込まれる。判定手段２４は、これらの記憶手段２３内の情報に基づき、お風呂見守り装置１０の状態が正常か、異常かを判定する。判定情報は、送信手段２５からインターネットなどの通信手段３０を介して指定された連絡先、例えば、親族等４１、救急医療センター４２、福祉センター４３に送られる。
【００１９】
ここで、図２乃至４の説明図に基づき、記憶手段２３に蓄積記憶された、荷重検出手段２からの特定経過時間の間の検出信号と、それに基づく判定手段２４による判定結果を説明する。特定経過時間は、図には明示されていないが、個人の生活特性などに応じて長短のセットが可能とされる。日本人の平均的入浴時間は２１分とされているが、６分から３０分の間で、特定経過時間をセットできるようにしておくことが望ましい。図２乃至４では、特定経過時間を１４分にセットした場合を示している。荷重検出手段２からの検出信号は短時間間隔で、ここでは、１分ごとの例を示した、に拾われ、記憶手段２３に蓄積記憶される。
【００２０】
図２と図３とは、浴槽外のマットとして、荷重検出手段２が敷設された場合の特定経過時間の間の検出信号を示す。横軸は時間（分）で、縦軸は荷重（Ｋｇ）である。図２、図３では人の最低荷重などの基準荷重（この例では３０Ｋｇ）をセットして、その荷重以下か以上かにより、また、それぞれがどのくらい（何回或は何分）継続したかにより、グラフのパタン分けをして、判定手段２４は判定を行う。図２の場合は、３０Ｋｇをかなり頻繁に超えたり超えなかったり入れ替わっており、浴槽を人が出入りしていることを示しており、入浴者は正常（状態）であると判定される。図３の場合は、３０Ｋｇを超えた場合が殆どで継続しており、人は浴槽外マット上に長時間いたことになり、入浴者は異常（状態）であると判定される。また、図３の場合と逆に、一度３０Ｋｇを越えた後その後は３０Ｋｇ以下の場合が継続していたとすれば、人は浴槽内に長時間いたことになり、入浴者は異常（状態）であると判定される。
【００２１】
図４と図５とは、浴槽内のマットとして、荷重検出手段２が敷設された場合の特定経過時間の間の検出信号を示す。同様に横軸は時間（分）で、縦軸は荷重（Ｋｇ）である。図４、図５では湯を張ったときの荷重検出手段２が示す検出信号の荷重を基準荷重（この例では２５０Ｋｇ）としてセットして、その荷重以下か以上かにより、また、それぞれがどのくらい（何回或は何分）継続したかにより、グラフのパタン分けをして、判定手段２４は判定を行う。図４の場合は、２５０Ｋｇをかなり頻繁に超えたり超えなかったり入れ替わっており、浴槽を人が出入りしていることを示しており、入浴者は正常（状態）であると判定される。図５の場合は、２５０Ｋｇを超えた場合が殆どで継続しており、人は浴槽内マット上に長時間いたことになり、入浴者は異常（状態）であると判定される。また、図５の場合と逆に、一度２５０Ｋｇを越えた後その後は２５０Ｋｇ以下の場合が継続していたとすれば、人は浴槽外に長時間いたことになり、入浴者は異常（状態）であると判定される。なお、図４と図５の０分から４分の間に徐々に荷重検出手段２の検出荷重が増したのは、水入れが行われたことによる。
【００２２】
上記の基準荷重は、本システムの利用状況にあわせて設定される。入浴者の体重、浴槽の容量と深さなどが、基準荷重決定の主要な要素となる。
【００２３】
以上の様に、上記の実施の形態では、浴室１内に敷設されて荷重を検出する荷重検出手段２と、経過時間を計測し設定された特定経過時間間隔で信号を発信する経過時間計測手段３と、特定経過時間間隔の間の荷重検出手段２による検出荷重の変化経過を記録する記憶手段２３と、記憶手段２３内の検出荷重の変化経過の記録に基づき異常正常を判断する判定手段２４と、判定手段２４による判定情報を指定された連絡先に送る送信手段２５と、を備えるお風呂見守り簡易システムとすることにより、お風呂における高齢者等のヒートショックなどによる死亡防止に有効な見守りシステムとできる。浴室内への設置はバスマット、すのこ、バブル発生マット等の荷重検出手段を敷設するだけの簡易なもので済ますことが出きて、遠隔地からの見守りも可能とできる。一方でリフォームなどの必要は無い。さらには、浴室内に敷設された、目立たない、簡易なものであるため、見守られる人が監視されているという感覚を持たせず、見守ることが可能となる。
【００２４】
また、荷重検出手段２を浴室内に、経過時間計測手段３を浴室内叉はその周縁にお風呂見守り装置１０として配置し、記憶手段２３と判定手段２４と判定手段２４による判定情報を指定された連絡先に送る送信手段２５とを管理サーバ２０内に配置し、配置された両者を電子通信手段で接続するお風呂見守り簡易システムとして、管理サーバによるサービスを拡大し、また種々の変更対応も容易となるようにした。
【００２５】
また、判定手段２４が、経過時間計測手段３からの特定経過時間経過後の信号に基づき、特定経過時間の間の検出荷重の変化経過の記録が、基準荷重以下或は以上の状態が長く継続したときに異常と判定するものとすれば、正常異常の判定を確実とできる。
【産業上の利用可能性】
【００２６】
以上のように、本発明によるお風呂見守り簡易システムは、簡易な設置で、遠隔地からの見守りをも可能とできて有用であり、特にこれからの高齢者対策システムとして有効で産業上の利用可能性は高い。
【図面の簡単な説明】
【００２７】
【図１】本発明による一実施の形態としてのお風呂見守り簡易システムの構成を示すブロック図である。
【図２】浴槽外マットの場合、正常とされる荷重検出手段からの特定経過時間の間の検出信号を示す説明図である。
【図３】浴槽外マットの場合、異常とされる荷重検知手段からの特定経過時間の間の検出信号を示す説明図である。
【図４】浴槽内マットの場合、正常とされる荷重検知手段からの特定経過時間の間の検出信号を示す説明図である。
【図５】浴槽内マットの場合、異常とされる荷重検知手段からの特定経過時間の間の検出信号を示す説明図である。
【符号の説明】
【００２８】
１  浴室、２  荷重検出手段、３  経過時間計測手段、４  電源、４ａ  スイッチ、５  送信手段、６  制御手段、１０  お風呂見守り装置、２０  管理サーバ、２１  受信手段、２２  データベース、２２ａ  利用者情報テーブル、２２ｂ  履歴情報テーブル、２３  記憶手段、２４  判定手段、２５  送信手段、３０  通信手段、４１  親族等、４２  救急医療センター、４３  福祉センター、１００  お風呂見守り簡易システム、ＳＧ１  開始信号、ＳＧ３  終了信号。
【図１】
2008003966.tif 000003
【図２】
2008003966.tif 000004
【図３】
2008003966.tif 000005
【図４】
2008003966.tif 000006
【図５】
2008003966.tif 000007